【手続補正書】
【提出日】平成25年3月22日(2013.3.22)
【手続補正１】
【補正対象書類名】明細書
【補正対象項目名】発明の名称
【補正方法】変更
【補正の内容】
【発明の名称】評価装置、評価方法およびプログラム
【手続補正２】
【補正対象書類名】明細書
【補正対象項目名】０００１
【補正方法】変更
【補正の内容】
【０００１】
本発明は、評価対象に対するユーザによる評価情報を集計する評価装置、評価方法およびプログラムに関する。
【手続補正３】
【補正対象書類名】明細書
【補正対象項目名】０００５
【補正方法】変更
【補正の内容】
【０００５】
そこで本発明は、評価対象毎の評価情報を、複数の評価者の反応からリアルタイムで容易に取得することができる評価装置、評価方法およびプログラムを提供することを目的とする。
【手続補正４】
【補正対象書類名】明細書
【補正対象項目名】０００６
【補正方法】変更
【補正の内容】
【０００６】
上記目的達成のため、本発明による評価装置は、評価対象を利用している複数の評価者の反応をリアルタイムに取得する反応取得手段と、前記反応取得手段により取得した複数の評価者の反応を、前記評価対象に対する評価情報として集計する集計手段と、前記評価対象に対する電子広告を表示する電子広告表示手段と、前記電子広告表示手段により表示されている電子広告に前記集計手段により集計された評価情報を表示させる広告表示制御手段と、を備えることを特徴とする。
また、本発明による評価方法は、評価対象を利用している複数の評価者の反応をリアルタイムに取得する反応取得処理と、前記反応取得処理により取得した複数の評価者の反応を、前記評価対象に対する評価情報として集計する集計処理と、前記評価対象に対する電子広告を表示する電子広告表示処理と、前記電子広告表示処理により表示されている電子広告に前記集計処理により集計された評価情報を表示させる広告表示制御処理と、を含むことを特徴とする。
また、本発明によるプログラムは、コンピュータを、評価対象を利用している複数の評価者の反応をリアルタイムに取得する反応取得手段と、前記反応取得手段により取得した複数の評価者の反応を、前記評価対象に対する評価情報として集計する集計手段と、前記評価対象に対する電子広告を表示する電子広告表示手段と、前記電子広告表示手段により表示されている電子広告に前記集計手段により集計された評価情報を表示させる広告表示制御手段と、して機能させることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
この発明によれば、評価対象毎の評価情報を、複数の評価者の反応からリアルタイムで容易に取得することができるという利点が得られる。
【手続補正１２】
【補正対象書類名】特許請求の範囲
【補正対象項目名】全文
【補正方法】変更
【補正の内容】
【特許請求の範囲】
【請求項１】
評価対象を利用している複数の評価者の反応をリアルタイムに取得する反応取得手段と、
前記反応取得手段により取得した複数の評価者の反応を、前記評価対象に対する評価情報として集計する集計手段と、
前記評価対象に対する電子広告を表示する電子広告表示手段と、
前記電子広告表示手段により表示されている電子広告に前記集計手段により集計された評価情報を表示させる広告表示制御手段と、
を備えることを特徴とする評価装置。
【請求項２】
前記反応取得手段は、複数の評価対象を利用している複数の評価者の反応をリアルタイムに取得し、
前記集計手段は、前記反応取得手段により取得した複数の評価者の反応を、各評価対象毎に各評価対象に対する評価情報として集計し、
前記電子広告表示手段は、前記複数の評価対象の各々に対応する複数の電子広告を表示し、
前記広告表示制御手段は、前記電子広告表示手段により表示されている複数の電子広告の各々に対して各々の評価情報を表示させる
ことを特徴とする請求項１に記載の評価装置。
【請求項３】
前記電子広告表示手段は、前記電子広告を表示する複数の表示装置を含み、
前記広告表示制御手段は、前記複数の表示装置の各々に対して各々の評価情報を送信することで、各々の表示装置に各々の評価情報を表示させることを特徴とする請求項２に記載の評価装置。
【請求項４】
前記反応取得手段は、異なる時間または異なる場所において提供される複数の評価対象を利用している複数の評価者の反応をリアルタイムに取得し、
前記集計手段は、前記反応取得手段により取得した複数の評価者の反応を、各評価対象が提供される時間または場所毎に集計することを特徴とする請求項１乃至３のいずれかに記載のコンテンツ評価装置。
【請求項５】
前記広告表示制御手段は、各々の評価情報を、集計した時間または場所が識別可能な形態で表示させることを特徴とする請求項４に記載の評価装置。
【請求項６】
前記反応取得手段は、異なる時間および異なる場所において提供される複数の評価対象を利用している複数の評価者の反応をリアルタイムに取得し、
前記集計手段は、前記反応取得手段により取得した複数の評価者の反応を、各評価対象が提供される時間および場所毎に集計することを特徴とする請求項４または５に記載の評価装置。
【請求項７】
前記広告表示制御手段は、各々の評価情報を、集計した時間または場所が識別可能な形態で表示させることを特徴とする請求項６に記載の評価装置。
【請求項８】
前記反応取得手段は、異なる時間に提供される複数の評価対象について、同じ複数の評価対象を同時に利用している複数の評価者の反応を複数のセンサからリアルタイムに取得し、
前記集計手段は、前記反応取得手段により取得した複数の評価者の反応を、各評価対象が提供される時間毎に集計することを特徴とする請求項４に記載の評価装置。
【請求項９】
前記集計手段は、前記反応取得手段によりリアルタイムに取得される複数の評価者の反応を、各評価対象が提供される時間毎にリアルタイムに集計することを特徴とする請求項８に記載の評価装置。
【請求項１０】
前記広告表示制御手段は、前記反応取得手段によりリアルタイムに集計される評価情報をリアルタイムに表示させることを特徴とする請求項９に記載の評価装置。
【請求項１１】
前記反応取得手段は、複数のセンサからリアルタイムに取得される複数の評価者の反応を、各評価対象が提供される時間と対応付けて記録し、
前記集計手段は、前記反応取得手段により記録された複数の評価者の反応について、各々の反応の取得時間を各評価対象が提供される時間と比較することで、前記反応取得手段により取得した複数の評価者の反応を、各評価対象が提供される時間毎に集計することを特徴とする請求項４に記載の評価装置。
【請求項１２】
前記反応取得手段は、評価者の動き、声、体温、心拍のうちの少なくとも１つを含む評価者の反応をセンサから取得することを特徴とする請求項１１に記載の評価装置。
【請求項１３】
前記集計手段により集計された過去の評価情報を記録する記録手段と、
前記電子広告表示手段は、前記電子広告を表示する表示装置を含み、
前記広告表示制御手段は、前記記録手段に記録されている過去の評価情報を前記表示装置に送信することで前記表示装置に前記評価情報を表示させることを特徴とする請求項３に記載の評価装置。
【請求項１４】
前記反応取得手段は、異なる場所において提供される複数の評価対象を利用している複数の評価者の反応をリアルタイムに取得し、
前記集計手段は、前記複数の評価対象の各々に対応する複数の異なる場所に設置された複数の評価集計サーバによって、前記反応取得手段により取得した各評価対象に対する評価者の反応を集計し、
前記記録手段は、前記複数の評価対象の各々に対応する複数の評価情報を、前記複数の評価集計サーバの各々に記録し、
前記広告表示制御手段は、前記複数の評価集計サーバの各々に記録された複数の評価情報を、ネットワークを介して前記表示装置に送信することで、前記複数の評価情報を前記表示装置に表示させる
ことを特徴とする請求項１３に記載の評価装置。
【請求項１５】
前記広告表示制御手段は、前記複数の評価情報を比較できる形態で同時に表示することを特徴とする請求項２に記載の評価装置。
【請求項１６】
前記電子広告表示手段は、所定の広告媒体に前記電子広告を表示させることを特徴とする請求項１乃至１５のいずれかに記載の評価装置。
【請求項１７】
前記電子広告表示手段は、前記所定の広告媒体の一部に前記電子広告を表示させることを特徴とする請求項１６に記載の評価装置。
【請求項１８】
前記所定の広告媒体は、広告用のポスターであることを特徴とする請求項１６または１７に記載の評価装置。
【請求項１９】
前記電子広告は、動画であり、
前記電子広告表示手段は、前記所定の広告媒体に前記電子広告である動画を表示させることを特徴とする請求項１６乃至１８のいずれかに記載の評価装置。
【請求項２０】
前記評価対象の情報に基づいて、前記電子広告である動画を自動作成する電子広告作成手段を更に備え、
前記電子広告表示手段は、前記電子広告作成手段により自動作成された動画を前記電子広告として表示させることを特徴とする請求項１９に記載の評価装置。
【請求項２１】
前記集計手段により集計された評価情報を、予め登録した個人の端末装置に送信する評価情報送信手段を更に備えることを特徴とする請求項１乃至２０のいずれかに記載の評価装置。
【請求項２２】
前記反応取得手段は、前記評価対象を示す映像を見ている複数の評価者の反応をリアルタイムに取得することを特徴とする請求項１乃至２１のいずれかに記載の評価装置。
【請求項２３】
前記評価対象は、映像コンテンツであり、
前記評価対象の利用は、前記映像コンテンツに含まれる映像の観賞であり、
前記評価者は、前記映像コンテンツに含まれる映像の観賞者であり、
前記反応取得手段は、前記映像コンテンツに含まれる映像を観賞している複数の評価者の反応をリアルタイムに取得することを特徴とする請求項２２に記載の評価装置。
【請求項２４】
前記反応取得手段は、前記映像コンテンツの上映室内の各座席に設けられている反応取得装置の各々から個々の鑑賞者の反応をリアルタイムに取得することを特徴とする請求項２３に記載の評価装置。
【請求項２５】
前記反応取得装置は、同じ映画館の建物内で、映像コンテンツ毎に区分けして設けられた上映室内の各座席に設けられており、
前記集計手段は、前記上映室内の各座席に設けられている複数の反応取得装置から取得した鑑賞者の反応を、該反応取得装置が設置されている上映室毎に集計し、
前記広告表示制御手段は、前記複数の上映室の外に設置されていることを特徴とする請求項２４に記載の評価装置。
【請求項２６】
評価対象を利用している複数の評価者の反応をリアルタイムに取得する反応取得処理と、
前記反応取得処理により取得した複数の評価者の反応を、前記評価対象に対する評価情報として集計する集計処理と、
前記評価対象に対する電子広告を表示する電子広告表示処理と、
前記電子広告表示処理により表示されている電子広告に前記集計処理により集計された評価情報を表示させる広告表示制御処理と、
を含むことを特徴とする評価方法。
【請求項２７】
コンピュータを、
評価対象を利用している複数の評価者の反応をリアルタイムに取得する反応取得手段と、
前記反応取得手段により取得した複数の評価者の反応を、前記評価対象に対する評価情報として集計する集計手段と、
前記評価対象に対する電子広告を表示する電子広告表示手段と、
前記電子広告表示手段により表示されている電子広告に前記集計手段により集計された評価情報を表示させる広告表示制御手段と、
して機能させることを特徴とするプログラム。